(57)【要約】【課題】比較的簡単な構成で、磁気回路からの漏洩磁束を低減すること、音響放射方向に対し略垂直な方向へ向かって漏洩する磁束を低減すること、複数のスピーカユニットを備えたスピーカシステムにおいて簡単な構成で漏洩磁束を低減すること等。【解決手段】スピーカシステム１は、少なくとも一対のスピーカユニットと、そのスピーカユニットを支持する第２のキャビネット３とを有し、第２のキャビネット３は、一対のスピーカユニットそれぞれの背面側が対向するように、スピーカユニットが配置され、その第２のキャビネット３の側面に、一対のスピーカユニットを挟むように板状の防磁部材３５が配置されている。【選択図】  図１
2009262739.tif 000002
【特許請求の範囲】
【請求項１】
少なくとも一対のスピーカユニットと、前記スピーカユニットを支持するキャビネットとを有し、
前記キャビネットは、前記一対のスピーカユニットそれぞれの背面側が対向するように、当該スピーカユニットが配置され、
前記キャビネットの側面に前記一対のスピーカユニットを挟むように板状の防磁部材が配置されていることを特徴とするスピーカシステム。
【請求項２】
前記防磁部材は、前記一対のスピーカユニットと前記キャビネットとの間に連続的に配置されていることを特徴とする請求項１に記載のスピーカシステム。
【請求項３】
前記防磁部材は、前記一対のスピーカユニットと前記キャビネットとの取付位置の近傍に配置されていることを特徴とする請求項２に記載のスピーカシステム。
【請求項４】
前記防磁部材は、前記一対のスピーカユニットと前記キャビネットとの取付位置を越えて延在していることを特徴とする請求項３に記載のスピーカシステム。
【請求項５】
前記スピーカユニットは、フレームと該フレームに支持される振動体と磁気回路とを有することを特徴とする請求項１に記載のスピーカシステム。
【請求項６】
前記フレームは、前記キャビネットに固定されていることを特徴とする請求項５に記載のスピーカシステム。
【請求項７】
前記防磁部材は、前記一対のスピーカユニットと前記キャビネットとの間に連続的に配置されており、
前記フレームと前記キャビネットの近傍、又は前記フレームと前記キャビネットの取付位置を越えて延在するように配置されていることを特徴とする請求項６に記載のスピーカシステム。
【請求項８】
前記防磁部材は、前記キャビネットの外側側面に備えられていることを特徴とする請求項１に記載のスピーカシステム。
【請求項９】
前記磁気回路は、少なくともヨークと磁石とを有し、
前記一対のスピーカユニットそれぞれの磁石は、互いに逆方向に着磁された状態で配置されていることを特徴とする請求項１に記載のスピーカシステム。
【請求項１０】
前記スピーカユニットを支持する前記キャビネットを内部に備え該キャビネットより大きい筐体を有し、
前記筐体は、底面部に前記キャビネットが配置され、
前記２つのスピーカユニットは、その中心軸が前記筐体の底面部に沿うように配置され、
前記キャビネットの上面部と前記筐体の天面部との間に、該キャビネットの前面部に開口部が形成された音響ポートが配置されていることを特徴とする請求項１に記載のスピーカシステム。
【請求項１１】
前記スピーカユニットを支持する前記キャビネットを内部に備え該キャビネットより大きい筐体を有し、
前記筐体は、底面部に前記キャビネットが備えられ、
前記２つのスピーカユニットは、その中心軸が前記筐体の底面部に沿うように配置され、
前記キャビネットの上面部と前記筐体の天面部との間は所定距離だけ離れて形成され、
前記キャビネットは、上面部に防磁用磁性体が配置されていることを特徴とする
請求項１に記載のスピーカシステム。
【請求項１２】
前記防磁用磁性体は、放熱機能を有することを特徴とする請求項１１に記載のスピーカシステム。
【請求項１３】
前記スピーカユニットを支持する前記キャビネットを内部に備え該キャビネットより大きい筐体を有し、
前記筐体は、底面部に前記キャビネットが備えられ、
前記２つのスピーカユニットは、その中心軸が前記筐体の底面部に対して略平行となるように配置されていることを特徴とする
請求項１に記載のスピーカシステム。
【請求項１４】
前記防磁部材は、磁性体であることを特徴とする請求項１に記載のスピーカシステム。
【請求項１５】
前記キャビネットを内部に配置し該キャビネットより大きい筐体を少なくとも有する、もう１つのキャビネットを備えることを特徴とする請求項１に記載のスピーカシステム。
【請求項１６】
前記スピーカユニットを支持する前記キャビネットを内部に備え該キャビネットより大きい筐体を有し、
前記一対のスピーカユニット間の距離は、前記筐体の底面部又は天面部の長手方向における長さに対し略同一又は小さいことを特徴とする請求項４又は請求項９に記載のスピーカシステム。
【発明の詳細な説明】
【技術分野】
【０００１】
本発明は、スピーカシステムに関する。
【背景技術】
【０００２】
スピーカの磁気回路は、比較的大きな磁力の磁石を備えており、この磁気回路から漏洩する磁束が、例えば外部の電子機器へ影響を与えることがある。この磁気回路から漏洩する磁束を低減するために、磁気回路を磁気シールドカバーにてシールドする技術が知られている（例えば、特許文献１参照）。
【０００３】
【特許文献１】特開平０２−２９５３９８号公報
【発明の開示】
【発明が解決しようとする課題】
【０００４】
ところで、磁気回路から漏洩する磁束には、大きく分けて２種類ある。
音響放射方向へ向かって漏洩する磁束（Ａ）、音響放射方向に対し略垂直な方向へ向かって漏洩する磁束（Ｂ）である。
【０００５】
例えば、音響放射方向に対し略垂直な方向へ向かって漏洩する磁束（Ｂ）は、音響放射方向に対し略垂直な方向に向かって延びた後、磁気回路に至る磁気的なループを構成している。
【０００６】
この磁気回路からの漏洩磁束を比較的簡単な構成で低減することが望まれている。
特に、低音再生用スピーカ装置など比較的大きな磁力の磁石を備えたスピーカシステムにおいて、比較的簡単な構成で、音響放射方向に対し略垂直な方向へ向かって漏洩する磁束（Ｂ）を低減することが望まれている。
また、複数のスピーカユニットを備えたスピーカシステムにおいて、比較的簡単な構成で上記漏洩磁束（Ｂ）を低減することが望まれている。
【０００７】
本発明は、このような問題に対処することを課題の一例とするものである。すなわち、比較的簡単な構成で、磁気回路からの漏洩磁束を低減すること、音響放射方向に対し略垂直な方向へ向かって漏洩する磁束を低減すること、複数のスピーカユニットを備えたスピーカシステムにおいて簡単な構成で漏洩磁束を低減すること、等が本発明の目的である。
【課題を解決するための手段】
【０００８】
このような目的を達成するために、本発明は、以下の請求項に係る構成を具備するものである。
【０００９】
本発明に係るスピーカシステムは、少なくとも一対のスピーカユニットと、前記スピーカユニットを支持するキャビネットとを有し、前記キャビネットは、前記一対のスピーカユニットそれぞれの背面側が対向するように、当該スピーカユニットが配置され、前記キャビネットの側面に前記一対のスピーカユニットを挟むように板状の防磁部材が配置されていることを特徴とする。
【発明を実施するための最良の形態】
【００１０】
本発明の一実施形態に係るスピーカシステムは、少なくとも一対のスピーカユニットと、スピーカユニットを支持するキャビネットとを有し、キャビネットは、一対のスピーカユニットそれぞれの背面側が対向するように、当該スピーカユニットが配置され、キャビネットの側面に一対のスピーカユニットを挟むように板状の一対の防磁部材が配置されていることを特徴とする。
【００１１】
上記スピーカシステムは、一対の板状の防磁部材（磁性体）が、一対のスピーカユニットが配置されたキャビネットの側面に、その一対のスピーカユニットを挟むように配置されているので、一対のスピーカユニットからの漏洩磁束を低減することができる。
また、上記スピーカシステムは、防磁部材がキャビネットの側面に形成されているので、特にスピーカユニットの音響放射方向に対し略直交する方向へ向かって漏洩する磁束を、より低減することができる。
また、一対のスピーカユニットそれぞれの中心軸が同軸上に水平に位置するように、かつ背面側が対向するように、一対のスピーカユニットを対向配置している場合、水平方向への漏洩磁束を低減することができる。
【００１２】
以下、本発明の一実施形態に係るスピーカユニット１を、図面を参照しながら説明する。
【００１３】
図１（Ａ）は、本発明の一実施形態に係るスピーカシステム１の正面図である。図１（Ｂ）は、図１（Ａ）に示したスピーカシステム１の上面図である。図２は、図１（Ｂ）に示したスピーカシステム１の断面図である。詳細には、図２は、スピーカユニットの中心軸を通る高さ方向に沿った断面図である。
【００１４】
図３は、図２に示したスピーカシステム１を説明するための模式図である。図４は、図２に示したスピーカシステム１の他の位置での断面図である。図５（Ａ）はスピーカシステム１の断面斜視図であり、図５（Ｂ）はスピーカシステム１の他の視認方向からの断面図斜視図である。図６は、スピーカシステム１のスピーカユニット３１（３１Ａ，３１Ｂ）とオーディオ信号処理装置７０とを説明するための図である。
【００１５】
本実施形態に係るスピーカシステム１は、例えば、低音再生用スピーカシステム、いわゆるサブウーハなどに採用することができる。
このスピーカシステム１は、比較的大きな磁力の磁気回路を備えた一対のスピーカユニット３１（３１Ａ，３１Ｂ）を有し、その一対のスピーカユニット３１（３１Ａ，３１Ｂ）それぞれの背面側が対向するように、第２のキャビネット３に配置されている。その第２のキャビネット３の側面に一対のスピーカユニット３１（３１Ａ，３１Ｂ）を挟むように一対の板状の防磁部材３５が配置されている。スピーカシステム１は、上記一対の板状の防磁部材３５を有することにより、簡単な構成で一対のスピーカユニット３１（３１Ａ，３１Ｂ）からの漏洩磁束を低減することができる。
【００１６】
詳細には、本実施形態に係るスピーカシステム１は、図面に示すように、第１のキャビネット２、および第２キャビネット３を有する。第１のキャビネット２を外部キャビネット２、第２のキャビネット３を内部キャビネットともいう。
第２のキャビネット３は、本発明に係るキャビネットの一実施形態に相当する。
第１のキャビネット２は、内部に第２のキャビネット３が収容され、第２のキャビネット３にスピーカユニット３１が備えられている。詳細には、第２のキャビネット３は、一対（一組）のスピーカユニット３１Ａ，３１Ｂを有する。そのスピーカユニット３１Ａ，３１Ｂは、音響放射方向が逆向きとなるように配置されており、第２のキャビネット３への振動の位相が互いに逆位相となり、第２のキャビネット３において不要な振動が比較的小さい。
本実施形態に係るスピーカシステム１は、第１のキャビネット２に放音部２１０として音響ポート２１を有する。スピーカシステム１は、スピーカユニット３１の駆動時、放音部２１０から再生音を放射する。
【００１７】
詳細には、スピーカシステム１は、第２のキャビネット３のスピーカユニット３１の振動板後部が密閉空間となるように形成されている。このスピーカシステム１は、駆動時、第１のキャビネット２内の空気によるスティフネスと、音響ポート２１内の空気の等価質量とにより、いわゆるヘルムホルツの共鳴が生じて低音再生を行う。このスピーカシステム１の音響特性は、上記共鳴により所定の周波数範囲ＦＬ〜ＦＨの間で比較的高い音圧となるバンドパス特性を有する。
以下、スピーカシステム１の各構成要素について、図面を参照しながら詳細に説明する。
【００１８】
［第１のキャビネット２］
第１のキャビネット２は、筐体２０、音響ポート（ポートともいう）２１、およびポートカバー２２を有する。音響ポート２１は、放音部，筒状部の一実施形態に相当する。ポートカバー２２は、蓋部（反射部材）の一実施形態に相当する。
筐体２０は、本発明に係る筐体の一実施形態に相当する。つまり、筐体２０は、第２のキャビネット３を内部に備えその第２のキャビネット３より大きい筐体の一実施形態に相当する。
【００１９】
第１のキャビネット２の筐体２０は、例えば正面側から視認すると図１（Ａ）に示すように縦長の略箱型に形成されており、上面側（天面側）から視認すると図１（Ｂ）に示すように矩形状に形成されており、長手方向に沿って音響ポート２１の軸が配置されるように音響ポート２１が形成され、図２に示すようにスピーカユニットの中心軸および高さ方向に沿った断面形状が台形状に形成されている。
筐体２０の材料としては、例えば、プラスチックなどの樹脂、木材、金属、合金など公知の材料を採用することができる。また、筐体２０としては、例えば防振性、剛性などが比較的高い材料を採用することが好ましい。
【００２０】
詳細には、筐体２０は、前面部２０１、後面部２０２、底面部２０３、上面部（天面部）２０４、側面部２０５（２０５Ａ，２０５Ｂ）、および角部２０６〜２０９を有する。
【００２１】
前面部２０１は、底面部２０３に対して規定の角度（Ｒ１）だけ傾斜して形成されている。後面部２０２は、底面部２０３に対して規定の角度（Ｒ２）だけ傾斜して形成されている。天面部２０４は、底面部２０３に略平行に形成されている。側面部２０５（２０５Ａ，２０５Ｂ）は、底面部２０３に対して直交する方向（垂直方向）に沿って形成されるとともに、互いに等間隔に略平行に形成されている。
【００２２】
詳細には、例えば図３に示すように、第１のキャビネット２は、一対のスピーカユニット３１Ａ，３１Ｂの音放射方向に対向する、第１のキャビネット２の一対の面（２０１，２０２）が含まれる２つの平面が、第１のキャビネット２の外部に位置する交点（または交線）Ｐ２０１２で互いに交わるような形状に形成されている。
【００２３】
つまり、第１のキャビネット２は、第２のキャビネット３に配置されたスピーカユニット３１の音響放射側に対向する一対の面（２０１，２０２）が非平行となるように、該一対の面（２０１，２０２）のうち少なくとも一方の面が傾斜している。
第１のキャビネット２の形状は、上記形態に限られるものではない。第１のキャビネット２は、例えば前面部２０１，後面部２０２のうち一方の面が、底面部２０３に対して直交する方向（垂直方向）に沿って形成され、他方の面が、底面部２０３に対して傾斜した形状に形成されていてもよい。
【００２４】
また、第１のキャビネット２は、第２のキャビネット３に配置されたスピーカユニット３１の音響放射側に対向する一対の面（２０１，２０２）は、底面部２０３側から音響ポート２１形成位置側にかけて、次第に面距離が短い形状に形成されている。
つまり、第１のキャビネット２は、第１のキャビネット２の一対の面（２０１，２０２）の間の距離が、底面部２０３側より音響ポート形成位置側のほうが短い形状に形成されている。
【００２５】
例えば、第１のキャビネットが直方体に形成されている一般的なスピーカシステムでは、そのキャビネットの前面部と後面部との間の距離が一定の距離で平行となっているので、第１のキャビネットの前面部と後面部にて音波が反射し、前面部と後面部間の距離Ｌの約２／ｎ（ｎ＝１，２，３，・・・）の波長の定在波が第１のキャビネット２内に比較的大きく生じる場合があり、音響特性が低下する場合がある。
一方、本発明に係るスピーカシステム１では、図２，図３に示すように、第１のキャビネット２は、断面形状が台形状に形成されているので、前面部２０１と後面部２０２が非平行に形成され、その面間距離が一定値ではない、詳細には、底面部２０３側と比べて上方の音響ポート形成位置側の面間距離が短くなるように、前面部２０１と後面部２０２が傾斜して形成されているので、上述した定在波が生じにくく、不要な振動が比較的小さい。このためスピーカシステム１は、比較的高音質の再生音を得ることができる。
【００２６】
また、底面部２０３と前面部２０１との角度Ｒ１は、底面部２０３と後面部２０２との角度Ｒ２と同じであってもよいし、異なっていてもよい。本実施形態では図３に示すように、角度Ｒ１，Ｒ２は鋭角に形成されるとともに、角度Ｒ１が角度Ｒ２より小さく形成されているので、第１のキャビネット２での定在波などの不要な振動を、より低減することができる。
【００２７】
また、図２に示すように、第１のキャビネット２の各面の角部に傾斜面部を設けてもよい。詳細には、図２に示すように、前面部２０１と底面部２０３との間の角部２０６、底面部２０３と後面部２０２との間の角部２０７、後面部２０２と天面部２０４との間の角部２０８、天面部２０４と前面部２０１との間の角部２０９の少なくとも一つ、または全てに傾斜面を設けてもよい。第１のキャビネット２が、上記傾斜面部を有するので、第１のキャビネット内に生じる定在波などによる不要な振動を、より低減することができる。
【００２８】
また、本実施形態に係る第１のキャビネット２は、図１（Ａ），図１（Ｂ），図２，図３に示すように、第１のキャビネット２の一対の面（２０１，２０２）の間の距離（最小距離）が、第２のキャビネットに配置された一対のスピーカユニットの音響放射方向に対して直交する方向に形成された一対の面（２０３，２０４）、または一対の面（２０５Ａ，２０５Ｂ）間の距離より長い。つまり、本実施形態に係る第１のキャビネット２は、第２のキャビネット３のスピーカユニット３１Ａ，３１Ｂの音響方向ＳＤに沿った一対の面（２０１，２０２）間の距離は、それに直交する方向に沿った一対の面（２０３，２０４）間の距離、または一対の面（２０５Ａ，２０５Ｂ）間の距離が長い。要するに、第１のキャビネット２の長手方向が、スピーカユニットの音響放射方向と略平行となるように、第１のキャビネット２が形成されている。
【００２９】
音響ポート２１は、第１のキャビネット２に配置され、略筒状に形成されている。また、音響ポート２１は、開口端部が第１のキャビネット２の音響放射側面（前面部２０１）に形成されている。本実施形態に係る放音部２１０は、第１のキャビネット２の前面部２０１に形成された音響ポート２１の開口部を有する。
【００３０】
音響ポート２１は、詳細には、ラッパ状部２１１、筒状部２１２、および後側端部２１３を有する。
筒状部２１２は、第１のキャビネット２内に配置され、その軸（ＣＬ２１）が、スピーカユニット３１（３１Ａ，３１Ｂ）の中心軸（ＣＬ３）と規定距離（ＬＺ２）だけ離れて略平行となるように形成されている。また、筒状部２１２は、その軸が、図１（Ｂ），図３に示すように、第１のキャビネット２の長手方向に略平行となるように形成されている。
【００３１】
また、音響ポート２１は、筒状部２１２の中心軸（ＣＬ２１）が、前面部２０１に直交する方向を基準として斜めに、詳細には角度Ｒ１（鋭角）となるように形成されている。つまり、第１のキャビネット２の前面部２０１が、音響ポート２１の筒状部２１２に対し鋭角となるように形成されている。音響ポート２１が、上記形状に形成されているので、駆動時、いわゆる風切り音の発生を抑止することができる。
また、音響ポート２１の筒状部２１２は、筒状部２１２の中心軸（ＣＬ２１）と第１のキャビネット２の天面部２０４との間の距離（ＬＺ２１Ａ）と、筒状部２１２の中心軸（ＣＬ２１）と第１のキャビネット２の底面部２０３との間の距離（ＬＺ２１Ｂ）が異なるように、詳細には、距離（ＬＺ２１Ｂ）が距離（ＬＺ２１Ａ）より大きくなるように形成されている。つまり、音響ポート２１（放音部２１０）は、第１のキャビネット２の天面部２０４近傍に形成されている。
【００３２】
ラッパ状部２１１は、筒状部２１２の音響放射側に形成され、開口端部が、第１のキャビネット２の前面部２０１に形成されている。また、ラッパ状部２１１は、その音響放射側の開口端部がラッパ状に拡開した形状、詳細には内側から開口側にかけて内径が大きくなる形状に形成されている。
また、音響ポート２１は、その軸が、前面部２０１に直交する方向を基準として斜めに形成されており、開口端部にラッパ状部２１１を有するので、駆動時、いわゆる風切り音などの不要な音を低減することができる。
また、ラッパ状部２１１は、音響放射側端部が、第１のキャビネット２の上端部側２１１Ａより長く、底面側２１１Ｂになめらかに拡開した形状に形成されている。
つまり、音響ポート２１は、音響放射側端部が拡開された形状に形成されるとともに、該音響放射側端部がキャビネットの上端部側より長く底面部側に延在している。
【００３３】
後側端部２１３は、筒状部２１２の音響放射側端部に対して反対側端部に形成されており、本実施形態では、ラッパ状に拡開した形状に形成されており、いわゆる風切り音などの不要な音の発生を抑止することができる。特に、音響ポート２１のラッパ状部２１１が、なめらかに拡開した形状に形成されているので、例えばポート端部で局所的に比較的高い流速分布が生じるなどの不具合を抑止することができる。
【００３４】
また、音響ポート２１は、ポート内部の空気による等価質量が規定量となり、スピーカシステム１が所定のヘルムホルツ共鳴を生じるように、ポートの内径、軸方向の長さ、形状などが規定されている。
【００３５】
音響ポート２１は、上述した形状に限られるものではない。例えば、音響ポート２１は、筒状部２１２のみが前面部２０１に形成されていてもよい。
【００３６】
ポートカバー２２は、図１（Ａ），図１（Ｂ），２，４，５に示すように、音響ポート２１の開口部の一部を覆う形状に形成されている。詳細には、ポートカバー２２は、音響ポート２１の開口端部の音響放射側に規定間隔をあけて形成されている。また、ポートカバー２２は、上部が、第１のキャビネット２の天面部２０４に接合し、下部が、第１のキャビネット２の下側または略中央部付近に接合し、横端部が、第１のキャビネット２に接合していない。つまりポートカバー２２と第１のキャビネット２の間には、水平方向に開口部が形成されている。
【００３７】
詳細には、このポートカバー２２と第１のキャビネット２の前面部との間に、音響ポート２１からの音波を外部に導く通気路２２０１が形成されている。この通気路２２０１は、ダクト２２０の一実施形態に相当する。
音響ポート２１からの音波は、この通気路２２０１を通って、音響ポート２１の軸方向に対して略直交する方向（水平方向）、または斜め方向に放射される。
【００３８】
上述したように、本実施形態では、音響ポート２１の音響放射側前方にポートカバー２２が設けられ、ポートカバー２２の上部および下部が第１のキャビネット２に接合し、横端部が第１のキャビネット２に接合しない構造に形成されているので、例えば前方、上部、下部などから音響ポート２１内に異物などが入り込むことを抑止するとともに、略水平方向に高音質の再生音を放射することができる。
【００３９】
また、例えば、図１（Ａ），図１（Ｂ）に示すように、ポートカバー２２の横幅（Ｆ２２）を、音響ポート２１のラッパ状部２１１の開口端部の横幅（Ｆ２１０）より短い形状に形成することで、音響ポート２１の軸方向の前方側にも効率よく再生音を放射することができる。
【００４０】
また、ポートカバー２２は、音響ポート２１の放音部２１０に向かって突出した突出部２２２２が形成されている。詳細には、ポートカバー２２の突出部２２２２は、音響ポート２１の軸と交差する位置を中心に、なめらかに隆起した形状に形成されており、音響ポート２１から放射された音波を、ポートカバー２２、突出部２２２２、音響ポート２１で形成された通気路２２０１を通って効率よく外部に放射することができる。
【００４１】
ポートカバー２２は、第１部材２２１、および第２部材２２２を有する。詳細には、ポートカバー２２は、第１部材２２１が外側に、第２部材２２２が内側（ポート側）になるように結合されている。第２部材２２２には、突出部２２２２が形成されている。
【００４２】
また、第１のキャビネット２は、前面部２０１の前面下部近傍、ポートカバー２２より下側に、内部に密閉空間（気密な空間）が形成された凸形状部２３を有する。凸形状部２３は、例えば半透光性の材料により形成されており、例えば駆動時、電源オン時など、前面部２０１に備えられた発光素子２３１の発光による光を透光する。この発光素子２３１は、例えばスピーカユニット３１へ入力されるオーディオ信号の振幅に応じた発光強度で発光するように、制御回路により制御されていてもよい。
【００４３】
［第２のキャビネット３］
第２のキャビネット３は、第１のキャビネット２内に配置されており、筐体３０が略直方体に形成されている。第２のキャビネット３には、複数のスピーカユニット３１、本実施形態では一対のスピーカユニット３１Ａ，３１Ｂが設けられている。
【００４４】
本実施形態に係る第２のキャビネット３は、詳細には、筐体３０、スピーカユニット３１（３１Ａ，３１Ｂ）、アンプ３２、基板３３、放熱用フィン３４、および防磁部材（シート状部材）３５を有する。
【００４５】
本実施形態に係る筐体３０は、直方体に形成され、内部が密閉空間となるように形成されている。筐体３０の形成材料としては、例えば、プラスチックなどの樹脂、木材、金属、合金など公知の形成材料を採用することができる。また、筐体３０は、第１のキャビネット２の底面部２０３に固定されており、スピーカシステム１の重心が比較的低くなり、比較的高い安定性を得ることができる。
【００４６】
スピーカユニット３１（３１Ａ，３１Ｂ）は、第２のキャビネット３内に、音響放射側に対し逆側（背面側）３１ＢＫが対向するように配置されるとともに、それぞれの中心軸（ＣＬ３）が同一軸上に位置するように配置されている。つまり、スピーカユニット３１（３１Ａ，３１Ｂ）は、音響放射方向（ＳＤ）が互いに外向きとなるように配置されている。また、スピーカユニット３１は、その中心軸が第１のキャビネット２の長手方向と略平行となるように、さらに底面部２０３に規定間隔で略平行となるように配置されている。
【００４７】
本実施形態に係るスピーカユニット３１は、一対（一組）のスピーカユニット３１Ａ，３１Ｂを有する。スピーカユニット３１Ａ，３１Ｂは、略同じ構成であり、一方のスピーカユニット３１について説明する。
【００４８】
スピーカユニット３１は、例えば、磁気回路３１０、磁気回路３１０に接合されたフレーム３１０１、フレーム３１０１に振動自在に配置された振動体３１４を有する。
磁気回路３１０としては、例えば内磁型磁気回路、外磁型磁気回路などを採用することができる。本実施形態に係る外磁型磁気回路３１０は、ヨーク３１１に接合した磁石３１２、磁石３１２に接合したプレート３１３を有する。磁気回路３１０は、プレート３１３とヨーク３１１間に、磁気ギャップが形成されている。
【００４９】
振動体３１４は、ボイスコイルボビン３１５、ボイスコイル３１６、振動板３１７、キャップ３１７Ａ、エッジ３１８、およびダンパ３１９を有する。
磁気回路３１０の磁気ギャップには、ボイスコイルボビン３１５に巻回されたボイスコイル３１６が遊嵌されて、振動自在に配置されている。ボイスコイルボビン３１５は、ダンパ３１９を介して振動自在にフレーム３１０１に支持されている。また、フレーム３１０１は、外側端部が第２のキャビネット３に固定されている。
【００５０】
また、図２，図６に示すように、スピーカユニット３１のボイスコイル３１６は、導電線７１，７２を介してアンプ３２や外部のオーディオ信号処理装置７０などに電気的に接続されており、オーディオ信号が入力される。
振動板３１７は、例えばコーン形状などの規定形状に形成され、内周部がボイスコイルボビン３１５に接着剤等により固定され、外周部がエッジ３１８を介してフレーム３１０１に振動自在に支持されている。振動板３１７は、中心部にキャップ３１７Ａが配置されている。
【００５１】
上記第２のキャビネット３に配置された一対のスピーカユニット３１Ａ，３１Ｂは、それぞれの磁石が、音響放射方向に沿って、互いに逆方向に着磁された状態で配置されており、それぞれのボイスコイルは同様な巻き方向に巻回されており、ボイスコイルに同一の音響信号が入力されると、それぞれの振動板がスピーカ中心軸に沿って、それぞれ逆方向に移動するように振動する。
【００５２】
［防磁部材３５］
図７（Ａ）は、スピーカユニットおよび防磁部材を説明するための図である。図７（Ｂ）は、スピーカユニット近傍の磁束線Ｂ１を説明するための図である。図７（Ｃ）は、スピーカユニット近傍の漏洩磁束の強度分布ＢＬを説明するための図である。図７（Ｃ）に示す漏洩磁束の強度分布ＢＬは、例えば、スピーカユニット３１の中心軸に直交する方向に沿って、スピーカユニット３１から離れるほど強度が小さいことを示している。
【００５３】
図７（Ｄ）は、磁気回路３１０の磁気ギャップ内の磁束密度Ｂｇを説明するための図である。図７（Ｄ）において縦軸は磁束密度Ｂｇ（単位Ｔ：テスラ）を示し、横軸は距離Ｌ（単位ｍｍ）を示す。図７（Ｅ）は、スピーカユニット近傍の漏洩磁束密度ＢＬを説明するための図である。図７（Ｅ）において縦軸は漏洩磁束密度ＢＬ（単位Ｇ：ガウス）を示し、横軸は距離Ｌ（単位ｍｍ）を示す。
【００５４】
防磁部材３５は、例えば、図１，図４，図５（Ｂ），図７（Ａ）〜図７（Ｃ）に示すように、第２のキャビネット３の筐体３０は、その側面に一対のスピーカユニット３１（３１Ａ，３１Ｂ）を挟むように一対の板状の防磁部材３５が設けられている。
この防磁部材３５は、例えば、鉄、合金などの金属材料により形成されている。この防磁部材３５は磁性体である。
【００５５】
また、防磁部材３５は、図１（Ｂ），図４，図５（Ｂ）に示すように、一対のスピーカユニット３１（３１Ａ，３１Ｂ）と、第２のキャビネット３との間に連続的に配置されている。この防磁部材３５を設けたので、一対のスピーカユニット３１（３１Ａ，３１Ｂ）近傍での漏洩磁束を低減することができる。
【００５６】
詳細には、一対のスピーカユニット３１（３１Ａ，３１Ｂ）それぞれの中心軸が同軸上に略水平に位置するように、かつ背面側が対向するように、一対のスピーカユニットを対向配置しているので、各スピーカユニット３１（３１Ａ，３１Ｂ）から互いに略対称な磁力線が発生しているので、漏洩磁束を低減させることができる。また、防磁部材３５を設けることにより、一対のスピーカユニット３１（３１Ａ，３１Ｂ）の間からの垂直方向への漏洩磁束を低減することができる。
【００５７】
また、防磁部材３５は、一対のスピーカユニット３１（３１Ａ，３１Ｂ）と第２のキャビネット３との取付位置の近傍に配置されている。防磁部材３５をスピーカユニット３１と第２のキャビネットの取付位置の近傍に配置することにより、スピーカユニット３１（３１Ａ，３１Ｂ）の磁気回路からフレーム３１０１へ漏洩した磁束を、防磁部材３５に導くことができ、図７（Ｂ）に示すように、防磁部材３５の内側（スピーカユニット側）にて磁気的なループ（Ｂ１）を構成することができる。そのため、図７（Ｃ）に示すように、第２のキャビネット３の外部への漏洩磁束が広がることを抑止することができる。
【００５８】
また、防磁部材３５は、一対のスピーカユニット３１（３１Ａ，３１Ｂ）と第２のキャビネット３との取付位置を越えて延在している。つまり、防磁部材３５は、一対のスピーカユニット３１（３１Ａ，３１Ｂ）の取付位置間隔よりも防磁部材３５の長さが長い形状に形成されており、その端部が、一対のスピーカユニット３１（３１Ａ，３１Ｂ）と第２のキャビネット３との取付位置よりも外側に位置するように配置されている。
このように防磁部材３５を形成することにより、磁気回路からの漏洩磁束がフレーム３１０１を介して外部へと広がることを抑止することができる。
【００５９】
また、図５（Ｂ）に示すように、防磁部材３５は、第２のキャビネット３の外側側面に備えられている。防磁部材３５は、第２のキャビネット３の外側の側面に取付けられているので、例えば第２のキャビネット３内に別途、防磁部材３５の配置スペースを確保する必要がなく、第２のキャビネット３の容積を比較的大きくしつつ、省スペース化することができる。
【００６０】
また、例えば図２に示すように、第２のキャビネット３の上面部（天面部）と第１のキャビネット２の筐体２０の天面部２０４との間に、音響ポート２１が配置されており、第２のキャビネット３の上部に、規定距離だけ空間が形成されている。このため、スピーカユニット３１（３１Ａ，３１Ｂ）から高さ方向（上方）へ漏洩磁束がある場合でも、その距離に応じて漏洩磁束の強度が低減し、スピーカシステム１の高さ方向への漏洩磁束の強度が比較的小さくすることができる。
【００６１】
次に、図７（Ａ）〜図７（Ｅ）を参照しながら、防磁部材３５について、コンピュータ演算により、スピーカユニット３１（３１Ａ，３１Ｂ）の近傍に配置された防磁部材３５の長さに応じた漏洩磁束分布を算出した結果を説明する。
詳細には、図７（Ａ）に示すように、一対のスピーカユニット３１（３１Ａ，３１Ｂ）は規定距離Ｌ１だけ離れて背面側が対向するように配置されている。防磁部材３５は、スピーカユニット３１（３１Ａ，３１Ｂ）の中心軸から規定距離Ｌ２だけ離れて配置されている。そして、異なる長さ（Ｌ３５）の防磁部材３５を配置した場合、スピーカユニット３１（３１Ａ，３１Ｂ）の中心軸から所定の距離Ｌ３だけ離れた位置での磁束密度を算出した。例えば、スピーカユニットの対向距離Ｌ１が５６ｍｍ、距離Ｌ２が８８ｍｍとなるように設定した。
【００６２】
その結果、図７（Ｄ）に示すように、防磁部材３５を設けない場合（ＳＵ）、厚さ１ｍｍの鉄製防磁部材３５の長さＬ３５が１６０、１８０、２００、２２０、２４０、２６０、２８０、３００、３２０ｍｍの場合、ボイスコイル３１６の上端部を基準位置として、この基準位置から下方における位置までの距離Ｌが、３ｍｍから約６ｍｍで磁束密度Ｂｇが上昇し、距離Ｌが５ｍｍ〜１０ｍｍで磁束密度Ｂｇが最大値約０．７０Ｔとなっている。
ここで、ボイスコイル３１６の上端部からボイルコイル３１６の下端部の距離が１５ｍｍ、ボイスコイル３１６の上端部からプレート３１３上端部までの距離が３．５ｍｍ、ボイスコイル３１６の上端部からプレート３１３の下端部までの距離が１１．５ｍｍである。よって、プレート３１６の上端部近傍からプレート３１６の下端部近傍において、すなわち距離Lが３．５ｍｍから１１．５ｍｍの範囲での磁束密度Ｂｇは、鉄製防磁部材３５の長さＬ３５の大きさによって大きく変化していないことがわかった。
【００６３】
また、図７（Ｅ），図７（Ｃ）に示すように、漏洩磁束ＢＬは、防磁部材３５を設けない場合（ＳＵ）、ピーク値（ＰＢＬ）が３２Ｇであり、厚さ１ｍｍの鉄製防磁部材３５の長さＬ３５が長いほど、漏洩磁束ＢＬが大幅に減少した。なお、図７（Ｃ）に示される漏洩磁束ＢＬは、漏洩磁束の大きさに関する等高線であり、スピーカユニット３１から内側に向けてＢＬ（Ｇ）が大きくなっていることを説明したものであり、一番内側のＢＬ１と一番外側のＢＬ２との差は０．０００２Ｔである。図７（Ｅ）において約１８０ｍｍ付近が防磁部材３５の中間位置に相当する。
このため、スピーカユニット３１（３１Ａ，３１Ｂ）の対向距離と比較して、十分長い鉄製の防磁部材３５を設けることで、漏洩磁束の強度を比較的小さくすることができ、比較的高い防磁性を得ることができる。
上述した演算結果により、漏洩磁束の強度を比較的小さくする、つまり比較的高い防磁性を得るためには、第２のキャビネット３へのスピーカユニット３１（３１Ａ，３１Ｂ）の取付位置間の距離と同じ、またはそれ以上の長さの防磁部材３５を設けることが好ましい。また、漏洩磁束の強度を比較的小さくする、つまり比較的高い防磁性を得るためには、第２のキャビネット３へのスピーカユニット３１（３１Ａ，３１Ｂ）の取付位置を越えて防磁部材３５を延在させることがさらに好ましい。
次に、図８（Ａ），８（Ｂ）を参照しながら、一対のスピーカユニット間の距離について、コンピュータ演算により、磁束密度と、一対のスピーカユニット（３１Ａ、３１Ｂ）間における漏洩磁束分布を算出した結果を説明する。なお、図７に関する説明と重複する箇所は省略する。
詳細には、図７（Ａ）に示すように、一対のスピーカユニット３１（３１Ａ，３１Ｂ）は規定距離Ｌ１だけ離れて背面側が対向するように配置されている。この規定距離Ｌ１（ｄ）を増減させた場合、スピーカユニット３１の磁束密度Ｂｇ（Ｔ）は図８（Ａ）に示されるように大きな変化は生じていなく、比較的高い磁束密度となっている。一方、漏洩磁束ＢＬ（Ｇ）は、一対のスピーカユニット３１（３１Ａ、３１Ｂ）を接近させる、つまり規定距離Ｌ１を小さくすることで、低減できることを示している。よって、例えば、一対のスピーカユニット３１（３１Ａ、３１Ｂ）間の距離である規定距離Ｌ１（ｄ）を、ポート取付部付近の長手方向に沿った長さ（ＬＸ２１Ｃ）に対し略同じ、又は小さくすることが、漏洩磁束ＢＬ（Ｇ）を小さくできる点で好ましい。また、一対のスピーカユニット３１（３１Ａ、３１Ｂ）間の距離である規定距離Ｌ１を、第１のキャビネット２の天面部２０４の長手方向に沿った長さ（ＬＸ２０４）に対し略同じ或いは小さくすることが、漏洩磁束を低減できる点でさらに好ましい。また、第１のキャビネットの筐体３０の下部に設けられる脚部３０２の外径に対し略同じ又は小さくし、さらに漏洩磁束を低減することも可能である。
【００６４】
［フィン３４］
図２に示すように、第２のキャビネット３の筐体３０には、内部にアンプ３２などのオーディオ信号処理回路が設けられている。詳細には、筐体３０の上部中央部から内部中心部付近にかけて基板３３が設けられており、基板３３にアンプ３２が設けられている。
また、図２，４，５（Ｂ）に示すように、第２のキャビネット３の筐体３０上面部（天面部）には、アンプ３２の放熱用の放熱用フィン３４が設けられている。この放熱用フィン３４は、防磁用の磁性体（常磁性体も含む）である。例えば、放熱用フィン３は鉄、アルミニウム等で形成されている。
この防磁用のフィン３４が第２のキャビネット３の上面部に設けられており、この防磁用のフィン３４を磁性体で構成することで、スピーカシステム１の高さ方向への漏洩磁束の強度をより小さくすることができる。
【００６５】
また、放熱用フィン３４は、比較的高い熱伝導性板状部材からなり、音響ポート２１の近傍に配置することで、比較的高い放熱性を得ることができる。
【００６６】
また、筐体３０は、スピーカユニット３１が設けられた側面の上部近傍に補強部材３０４が設けられている。この補強部材３０４は第２のキャビネット３の一対の面２０５Ａ、２０５Ｂを支持している。
【００６７】
また、第２のキャビネット３の筐体３０は、第１のキャビネット２から着脱自在に形成されている。詳細には、第２のキャビネット３は、底面部２０３の固定部３０１に固定され、底面部２０３は取付固定部材３０３により、第１のキャビネット２と着脱自在に固定されている。また、筐体３０は、下部に脚部３０２が形成されており、この脚部３０２は例えば車体などの被取付部材に固定される。
また、筐体３０の底面部２０３には、凹形状の収納部３０１Ｃが形成されており、配線などが収納されている。
【００６８】
本実施形態に係るスピーカシステム１の第１のキャビネット２および第２のキャビネット３の形状を、詳細に説明する。
【００６９】
図１（Ｂ）に示すように、第２のキャビネット３は、直方体に形成され、側面部間の距離（ＬＹ３）が、第１のキャビネット２の側面部２０５（２０５Ａ，２０５Ｂ）間の長さ（ＬＹ２）より短い形状に形成されている。
また、第２のキャビネット３の中心軸（ＣＬ３）は、第１のキャビネット２の中心軸（ＣＬ２）、および音響ポート２１の中心軸（ＣＬ２）と略平行となるように形成されている。
【００７０】
また、図３に示すように、第１のキャビネット２の天面部２０４の長手方向に沿った長さＬＸ２０４は、底面部２０３の長さ（ＬＸ２）と比べて短く形成されている。
また、第１のキャビネット２は、ポート取付部付近の長手方向に沿った長さ（ＬＸ２１Ｃ）が、第１のキャビネット２の底面部２０３の長さ（ＬＸ２）と比べて短く形成されている。
音響ポート２１の軸方向の長さ（ＬＸ２１）は、第１のキャビネット２の天面部２０４の長手方向に沿った長さ（ＬＸ２０４）より短く形成されている。
第２のキャビネット３は、長手方向に沿った長さ（ＬＸ３）が、第１のキャビネット２の長手方向に沿った長さ（ＬＸ２）より短く形成されている。
【００７１】
図３に示すように、音響ポート２１の中心軸（ＣＬ２１）から高さ方向（底面部２０３に垂直な方向）に沿った天面部２０４までの距離（ＬＺ２１Ａ）は、中心軸（ＣＬ２１）から底面部２０３までの距離（ＬＺ２１Ｂ）より短い。
また、第２のキャビネット３の天面部から第１のキャビネット２の天面部までの距離（ＬＺ４）は、第２のキャビネット３の天面部から第１のキャビネット２の底面部２０３までの距離（ＬＺ５）より短い。
スピーカユニット３１の中心線（ＣＬ３）から第１のキャビネット２の底面部２０３までの距離（ＬＺ１）は、中心線（ＣＬ３）から第１のキャビネット２の天面部２０４までの距離（ＬＺ３）より短い。
【００７２】
図９は、本発明の一実施形態に係るスピーカシステム１を採用した車載用オーディオシステム５００を説明するための図である。
上記スピーカシステム１は、例えば図９に示すように、車両の車載用オーディオシステム５００に採用することができる。具体的には、例えばスピーカシステム１が、車両の座席の後部、トランク内などに配置され、第１のキャビネット２の底面部２０３が車両に固定される。この際、第１のキャビネット２の前面部２０１又はポートカバー２２の第１の部材２２１が、例えば座席の裏面側の傾斜角度と、略同じ角度にて形成されていると、その座席に近接して配置することができるので、効率よく配置スペースを確保することができる。また、上述したようにスピーカシステム１を配置した場合でも、音響ポート２１から高音質の音波を効率良く放射することができる。また、第１のキャビネット２の前面部２０１又はポートカバー２２の第１部材２２１が、例えば座席の裏面側に位置決めされた場合でも、水平方向にて音波を放射することができ、スピーカシステム１の配置によって音波が遮断されてしまうこと等を抑止することができる。
また、スピーカシステム１は防磁部材３５を有するので、車両に配置されている電子機器への漏洩磁束による影響が低い。
【００７３】
以上、説明したように、スピーカシステム１は、少なくとも一対のスピーカユニット３１（３１Ａ，３１Ｂ）と、そのスピーカユニット３１を支持する第２のキャビネット３とを有し、第２のキャビネット３は、一対のスピーカユニット３１（３１Ａ，３１Ｂ）それぞれの背面側が対向するように、スピーカユニット３１（３１Ａ，３１Ｂ）が配置され、その第２のキャビネット３の側面に、一対のスピーカユニット３１（３１Ａ，３１Ｂ）を挟むように板状の防磁部材３５が配置されているので、一対のスピーカユニット３１（３１Ａ，３１Ｂ）からの漏洩磁束を低減することができる。
【００７４】
また、上記スピーカシステム１は、防磁部材３５が第２のキャビネット３の側面に形成されているので、特にスピーカユニットの音響放射方向に対し略直交する方向へ向かって漏洩する磁束を、より低減することができる。
【００７５】
また、一対のスピーカユニット３１（３１Ａ，３１Ｂ）それぞれの中心軸が同軸上に水平に位置するように、かつ背面側が対向するように、一対のスピーカユニットを対向配置している場合、水平方向への漏洩磁束を低減することができる。
【００７６】
また、上記構成のスピーカシステム１では、スピーカユニット３１Ａ，３１Ｂに、同一のオーディオ信号が入力されると、スピーカユニット３１Ａ，３１Ｂそれぞれの振動体が振動して音響放射方向（ＳＤ）に音波を放射する。また、第１のキャビネット２および音響ポート２１ではヘルムホルツ共鳴が生じて、音響ポート２１の放音部２１０から低音再生音が放射される。
その際、筐体３０には、スピーカユニット３１Ａ，３１Ｂそれぞれから振動が伝達するが、筐体３０自身および筐体３０内部では、それぞれの振動が打ち消し合うので、不要な振動の発生を抑止することができる。
【００７７】
また、第１のキャビネット２は、図２に示すように、スピーカユニットの音響放射側に対向する一対の面（２０１，２０３）が非平行となるように、該一対の面のうち少なくとも一方の面（２０１，２０３）が傾斜した形状、詳細には、断面形状が台形状に形成されているので、不要な定在波が生じることを抑止することができ、高音質の音波を、音響ポート２１の放音部２１０から放射することができる。
【００７８】
また、上述したようにスピーカユニット３１は、その中心軸が第１のキャビネット２の長手方向と略平行となるように配置されているので、第１のキャビネット２内で不要な振動の発生を抑止することができる。
【００７９】
また、第２のキャビネット３が直方体に形成され、第１のキャビネット２が断面形状台形状に形成されているので、第１のキャビネット２、第２のキャビネット３間に、定在波が発生することを抑止することができる。
【００８０】
本発明は、上記実施形態に限られるものではない。例えば、第１のキャビネット２はなくともよい。第１のキャビネット２のポートカバー２２はなくともよい。
また、第２のキャビネット３の音響ポート２１の長さ、内径、形状などは、上記実施形態に限られるものではない。
また、スピーカユニット３１は、上記実施形態に限られるものではない。
【図面の簡単な説明】
【００８１】
【図１】図１（Ａ）は本発明の一実施形態に係るスピーカシステム１の正面図であり、図１（Ｂ）は図１（Ａ）に示したスピーカシステム１の上面図である。
【図２】図１（Ｂ）に示したスピーカシステム１の断面図である。
【図３】図２に示したスピーカシステム１を説明するための模式図である。
【図４】図２に示したスピーカシステム１の他の位置での断面図である。
【図５】図５（Ａ）はスピーカシステム１の断面斜視図であり、図５（Ｂ）はスピーカシステム１の他の視認方向からの断面図斜視図である。
【図６】スピーカシステム１のスピーカユニット３１（３１Ａ，３１Ｂ）とオーディオ信号処理装置７０とを説明するための図である。
【図７】図７（Ａ）はスピーカユニットおよび防磁部材を説明するための図であり、図７（Ｂ）はスピーカユニット近傍の磁束線Ｂ１を説明するための図であり、図７（Ｃ）はスピーカユニットの漏洩磁束の強度分布ＢＬを説明するための図であり、図７（Ｄ）は磁気回路３１０の磁気ギャップ内の磁束密度Ｂｇを説明するための図であり、図７（Ｅ）はスピーカユニット近傍の漏洩磁束密度ＢＬを説明するための図である。
【図８】図８（Ａ）は一対のスピーカユニットの間隔が異なる場合の磁気回路３１０の磁気ギャップ内の磁束密度Ｂｇを説明するための図であり、図８（Ｂ）は一対のスピーカユニットの間隔が異なる場合のスピーカユニット近傍の漏洩磁束密度ＢＬを説明するための図である。
【図９】本発明の一実施形態に係るスピーカシステム１を採用した車載用オーディオシステム５００を説明するための図である。
【符号の説明】
【００８２】
１  スピーカシステム
２  第１のキャビネット（外部キャビネット）
３  第２のキャビネット（内部キャビネット）
２０  筐体
２１  筒状部（ポート）
２２  ポートカバー（蓋部，反射部材）
３０  筐体
３１（３１Ａ，３１Ｂ）  スピーカユニット
３１０１  フレーム
３１０  磁気回路
３１１  ヨーク
３１２  磁石
３１３  プレート
３１４  振動体
３１５  ボイスコイルボビン
３１６  ボイスコイル
３１７  振動板
３１７Ａ  キャップ
３１８  エッジ
３１９  ダンパ
３２  アンプ
３３  基板
３４  放熱フィン（防磁用磁性体）
３５  防磁部材（板状状部材）
【図１】
2009262739.tif 000003
【図２】
2009262739.tif 000004
【図３】
2009262739.tif 000005
【図４】
2009262739.tif 000006
【図５】
2009262739.tif 000007
【図６】
2009262739.tif 000008
【図７】
2009262739.tif 000009
【図８】
2009262739.tif 000010
【図９】
2009262739.tif 000011